(57)【特許請求の範囲】
【請求項１】
ショーケースの商品収納部内に取付けられる棚本体と、棚本体に取付けられた棚板とからなるショーケースの商品棚において、
前記棚板の幅方向両端のそれぞれに棚本体の所定部位に弾性変形しながら係合する係合部を設けた
ことを特徴とするショーケースの商品棚。
【請求項２】
前記係合部に棚本体の係合部分を受容する凹部を設けた
ことを特徴とする請求項１記載のショーケースの商品棚。
【請求項３】
前記係合部に棚本体の係合部分との当接により係合部を所定方向に案内しながら弾性変形させる案内部を設けた
ことを特徴とする請求項１または２記載のショーケースの商品棚。
【発明の詳細な説明】
【０００１】
【発明の属する技術分野】
本発明は、各種飲食物の小売店または飲食店等の店内に設置されるショーケースの商品棚に関するものである。
【０００２】
【従来の技術】
従来、この種のショーケースとしては、例えば特開２０００−２３７０００公報等に記載されているように、前面、背面及び両側面を透明ガラス板で囲まれた商品収納部と、商品収納部内に互いに上下方向に間隔をおいて設けられた複数の商品棚とを備え、各商品棚に任意の商品を陳列するようにしたものが知られている。
【０００３】
図５乃至図７は前記商品棚の従来例を示すもので、同図に示す商品棚１０は、商品収納部内に取付けられる棚本体１１と、棚本体１１に支持された棚板１２とから構成されている。棚本体１１は複数の棒状部材によって形成され、その幅方向両端の前後には商品収納部側の取付孔に挿入される挿入部１１ａが突設されている。棚板１２の幅方向両端側には下方に延びる折曲部１２ａがそれぞれ設けられ、図７に示すように各折曲部１２ａを棚本体１１の所定の棒状部材１１ｂに溶接によって接合することにより、棚板１２を棚本体１１に取付ている。
【０００４】
【発明が解決しようとする課題】
しかしながら、棚板１２を棚本体１１に溶接によって接合する場合には、溶接作業による工数の増加を来たすとともに、接合部に溶接跡が残るため、洗浄や塗装による仕上げが必要となり、組立作業が煩雑になるという問題点があった。
【０００５】
本発明は前記問題点に鑑みてなされたものであり、その目的とするところは、棚板を棚本体に容易に取付けることのできるショーケースの商品棚を提供することにある。
【０００６】
【課題を解決するための手段】
本発明は前記目的を達成するために、請求項１では、ショーケースの商品収納部内に取付けられる棚本体と、棚本体に取付けられた棚板とからなるショーケースの商品棚において、前記棚板の幅方向両端のそれぞれに棚本体の所定部位に弾性変形しながら係合する係合部を設けている。
【０００７】
これにより、棚板が係合部の弾性変形によって棚本体に係合することから、棚板と棚本体とを溶接等によって接合する必要がない。
【０００８】
また、請求項２では、請求項１記載のショーケースの商品棚において、前記係合部に棚本体の係合部分を受容する凹部を設けている。
【０００９】
これにより、請求項１の作用に加え、棚本体の係合部分が係合部の凹部に受容されることから、係合部が棚本体に確実に係合する。
【００１０】
また、請求項３では、請求項１または２記載のショーケースの商品棚において、前記係合部に棚本体の係合部分との当接により係合部を所定方向に案内しながら弾性変形させる案内部を設けている。
【００１１】
これにより、請求項１または２の作用に加え、係合部の案内部が棚本体の係合部分に当接すると、係合部が案内部に案内されながら弾性変形することから、係合部が容易に棚本体に係合する。
【００１２】
【発明の実施の形態】
図１乃至図４は本発明の一実施形態を示すもので、図１はショーケースの全体斜視図、図２はその概略正面断面図、図３は商品棚の分解斜視図、図４は棚板の取付工程を示す正面断面図である。
【００１３】
同図に示すショーケースは、縦長に形成されたショーケース本体１と、ショーケース本体１内に形成された商品収納部２と、ショーケース本体１の下部に形成された機械室３と、商品収納部２内に設けられた複数の商品棚４とから構成されている。
【００１４】
ショーケース本体１は商品収納部２の前面及び背面をそれぞれ開閉する透明ガラス製の扉１ａを有し、商品収納部２の両側面は同じく透明ガラス製の側板１ｂによってそれぞれ覆われている。また、商品収納部２の周囲にはそれぞれ柱状部材をなす計４本の化粧枠１ｃが立設され、各化粧枠１ｃの上端にはショーケース本体１の上面をなす天板１ｄが取付けられている。
【００１５】
商品収納部２は底面板２ａによって機械室３側と仕切られており、その内部を機械室３側から送風される冷気によって冷却されるようになっている。
【００１６】
機械室３は断熱壁３ａによって囲まれた通風路３ｂを有し、通風路３ｂの一端側及び他端側はそれぞれ商品収納部２内に連通している。通風路３ｂ内には蒸発器３ｃ及び送風機３ｄが設けられ、図２に示すように通風路３ｂの一端側から吸入した商品収納部２の空気を蒸発器３ｃによって冷却し、通風路３ｂの他端側から商品収納部２側へ吐出するようになっている。尚、図示していないが、機械室３内には蒸発器３ｃに接続された冷凍回路の圧縮機、凝縮器等の冷凍機器が収容されている。
【００１７】
各商品棚４は、商品収納部２内に取付けられる棚本体５と、棚本体５に取付られた棚板６とからなり、棚本体５は複数の棒状部材５ａ〜５ｅによって形成されている。即ち、棚本体５は、その前端側から幅方向両端側に亘って略コ字状に形成された主部材５ａと、棚本体５の幅方向に延びる前端側部材５ｂ及び後端側部材５ｃと、前後方向に延びる計３本の中央側部材５ｄと、棚本体５の幅方向両端にそれぞれ配置される計２本のガード部材５ｅとからなる。
【００１８】
主部材５ａは前端側及び後端側をそれぞれ前端側部材５ｂ及び後端側部材５ｃに接合されるとともに、その前端側には上方に屈曲するガード部５ｆが設けられている。前端側部材５ｂ及び後端側部材５ｃは、その両端にそれぞれ商品収納部２側の取付孔（図示せず）に挿入される挿入部５ｇが設けられ、前端側部材５ｂの挿入部５ｇは前方に延び、後端側部材５ｃの挿入部５ｇは後方に延びている。各中央側部材５ｄは、互いに棚本体５の幅方向に等間隔をおいて配置され、それぞれ両端を前端側部材５ｂ及び後端側部材５ｃに接合されている。各ガード部材５ｅは、その両端側及び中央側の一部を除いて上方に屈曲するように形成され、それぞれ両端を前端側部材５ｂ及び後端側部材５ｃに接合されている。
【００１９】
棚板６は棚本体５とほぼ同等の大きさに形成された板状の部材からなり、その幅方向両端には棚本体５と係合する弾性変形可能な係合片６ａがそれぞれ設けられている。各係合片６ａは棚板６の幅方向両端部を下方に折り曲ることによって形成され、棚本体５の主部材５ａとガード部材５ｅとの間に挿入されるようになっている。係合片６ａには棚本体５の主部材５ａを受容する凹部６ｂが設けられ、凹部６ｂは係合片６ａの一部を外側に湾曲させることによって形成されている。更に、係合片６ａには棚本体５の主部材５ａとの当接により係合部６ａを弾性変形させる案内部６ｃが設けられ、案内部６ｃは係合片６ａの先端側を外側に向かって斜め下方に折り曲げることによって形成されている。また、棚板６の前端には上方に屈曲するガード部６ｄが設けられている。
【００２０】
即ち、前記商品棚４の棚板６を棚本体５に取付ける場合には、棚板６を棚本体５の上方に位置させるとともに、棚板６の各係合片６ａを棚本体５の主部材５ａとガード部材５ｅとの間に挿入する。その際、図４(a) に示すように係合片６ａを主部材５ａに向かって押圧すると、係合片６ａの案内部６ｃが主部材５ａに当接し、図４(b) に示すように案内部６ｃによって係合片６ａが外側に案内されながら弾性変形する。そして、主部材５ａが案内部６ｃを乗り越えると、主部材５ａが係合片６ａの凹部６ｂに受容されるとともに、弾性変形した係合片６ａが元の状態に復帰し、図４(c) に示すように主部材５ａが係合片６ａによって保持される。
【００２１】
このように、本実施形態によれば、商品棚４の棚板６に棚本体５の主部材５ａに弾性変形しながら係合する係合片６ａを設けたので、棚板６と棚本体５とを溶接等によって接合する必要がなく、棚板６を棚本体５に極めて容易に取付けることができる。
【００２２】
また、係合片６ａに棚本体５の主部材５ａを受容する凹部６ｂを設けたので、係合片６ａを棚本体５に確実に係合させることができ、棚板６の取付不良を生ずることがないという利点がある。
【００２３】
更に、係合片６ａの先端側に、主部材５ａとの当接により係合片６ａを外側に案内しながら弾性変形させる案内部６ｃを設けたので、係合片６ａに主部材５ａを容易に係合させることができ、棚板６の取付工程における作業性の向上を図ることができる。
【００２４】
また、前記実施形態では、前面、背面及び両側面を透明ガラスで覆うようにしたショーケースを示したが、例えば前面を開口したオープンショーケースなど、他の形態のショーケースの商品棚にも本発明を適用することができる。
【００２５】
【発明の効果】
以上説明したように、請求項１のショーケースの商品棚によれば、棚板と棚本体とを溶接等によって接合する必要がないので、棚板を棚本体に極めて容易に取付けることができる。
【００２６】
また、請求項２によれば、請求項１の効果に加え、係合部を棚本体に確実に係合させることができるので、棚板の取付不良を生ずることがないという利点がある。
【００２７】
また、請求項３によれば、請求項１または２の効果に加え、係合部に棚本体の係合部分を容易に係合させることができるので、棚板の取付工程における作業性の向上を図ることができる。
【図面の簡単な説明】
【図１】本発明の一実施形態を示すショーケースの全体斜視図
【図２】ショーケースの概略正面断面図
【図３】商品棚の分解斜視図
【図４】棚板の取付工程を示す正面断面図
【図５】従来例を示す商品棚の分解斜視図
【図６】従来例を示す商品棚の斜視図
【図７】従来例の棚板の取付工程を示す正面断面図
【符号の説明】
１…ショーケース本体、２…商品収納部、４…商品棚、５…棚本体、６…棚板、６ａ…係合片、６ｂ…凹部、６ｃ…案内部。
【図１】
0003854874.tif 000002
【図２】
0003854874.tif 000003
【図３】
0003854874.tif 000004
【図４】
0003854874.tif 000005
【図５】
0003854874.tif 000006
【図６】
0003854874.tif 000007
【図７】
0003854874.tif 000008